(57)【要約】      （修正有）【課題】多段に重ねた際の荷重によっても容易に変形しない強度を有する実用性に秀れた育苗箱を提供する。【解決手段】育苗箱１は平面視長方形の浅箱状で、対向する長側壁２及び短側壁３は下部に凹段部４を有し、この各凹段部４には夫々垂直方向に延設され外方に向けて突設する複数の長側壁補強リブ５及び短側壁補強リブ６が設けられ、この長側壁補強リブ５のうちの一乃至数個の長側壁補強リブ５ａは、その下縁が育苗箱１の内底面８と下面７との間に位置し、また、一乃至複数の長側壁補強リブ５ｂは、その下縁が育苗箱１の内底面８より上方に位置し、更に、一乃至数個の長側壁補強リブ５ｃは、その下縁が育苗箱１の下面７と面一であり、育苗箱１の開口縁１０には前記下縁が育苗箱１の下面７と面一の長側壁補強リブ５ｃの下部が嵌入される凹部９が形成され、また、短側壁補強リブ６は、その下縁が育苗箱１の内底面８と下面７との間に位置するように形成した。【選択図】        図３
2004329035.tif 000002
【特許請求の範囲】
【請求項１】
苗マットを形成するものであり、積層して使用される育苗箱であって、この育苗箱は平面視長方形の浅箱状で、対向する長側壁及び短側壁は下部に凹段部を有し、この各凹段部には夫々垂直方向に延設され外方に向けて突設する複数の長側壁補強リブ及び短側壁補強リブが設けられ、この長側壁補強リブのうちの一乃至数個の長側壁補強リブは、その下縁が育苗箱の内底面と下面との間に位置し、また、一乃至複数の長側壁補強リブは、その下縁が育苗箱の内底面より上方に位置し、更に、一乃至数個の長側壁補強リブは、その下縁が育苗箱の下面と面一であり、また、育苗箱の開口縁には前記下縁が育苗箱の下面と面一の長側壁補強リブの下部が嵌入される凹部が形成され、また、短側壁補強リブは、その下縁が育苗箱の内底面と下面との間に位置するように形成されていることを特徴とする育苗箱。
【請求項２】
苗マットを形成するものであり、積層して使用される育苗箱であって、この育苗箱は平面視長方形の浅箱状で、対向する長側壁及び短側壁は下部に凹段部を有し、この各凹段部には夫々垂直方向に延設され外方に向けて突設する複数の長側壁補強リブ及び短側壁補強リブが設けられ、この長側壁補強リブのうちの一乃至数個の長側壁補強リブは、その下縁が育苗箱の内底面と下面との間に位置し、また、一乃至複数の長側壁補強リブは、その下縁が育苗箱の内底面より上方に位置し、更に、一乃至数個の長側壁補強リブは、その下縁が育苗箱の下面と面一であり、また、育苗箱の開口縁には前記下縁が育苗箱の下面と面一の長側壁補強リブの下部が嵌入される凹部が形成され、また、短側壁補強リブは、その下縁が育苗箱の下面と面一となるように形成されていることを特徴とする育苗箱。
【請求項３】
苗マットを形成するものであり、積層して使用される育苗箱であって、この育苗箱は平面視長方形の浅箱状で、対向する長側壁及び短側壁は下部に凹段部を有し、この各凹段部には夫々垂直方向に延設され外方に向けて突設する複数の長側壁補強リブ及び短側壁補強リブが設けられ、この長側壁補強リブはその下縁が育苗箱の内底面と下面との間に位置し、長側壁補強リブのうちの一乃至数個はその前縁が残余の長側壁補強リブの前縁より前方に位置することで突出面積が大きくなるように形成されていることを特徴とする育苗箱。
【請求項４】
苗マットを形成するものであり、積層して使用される育苗箱であって、この育苗箱は平面視長方形の浅箱状で、対向する長側壁及び短側壁は下部に凹段部を有し、この各凹段部には夫々垂直方向に延設され外方に向けて突設する複数の長側壁補強リブ及び短側壁補強リブが設けられ、この長側壁補強リブのうちの一乃至数個の長側壁補強リブは、その下縁が育苗箱の内底面と下面との間に位置し、また、一乃至複数の長側壁補強リブは、その下縁が育苗箱の内底面より上方に位置し、更に、一乃至数個の長側壁補強リブは、その下縁が育苗箱の下面と面一であり、また、育苗箱の開口縁には前記下縁が育苗箱の下面と面一の長側壁補強リブの下部が嵌入される凹部が形成され、また、短側壁補強リブは、その下縁が育苗箱の内底面と下面との間に位置するように形成されており、この育苗箱は重ねた際、下側の育苗箱の開口部に上側の育苗箱が嵌合され、また、上側の育苗箱の長側壁補強リブ及び短側壁補強リブの下縁が下側の育苗箱の開口縁に当接し、その下縁が下面と面一である長側壁補強リブは前記凹部に嵌合されるように構成されていることを特徴とする育苗箱。
【請求項５】
苗マットを形成するものであり、積層して使用される育苗箱であって、この育苗箱は平面視長方形の浅箱状で、対向する長側壁及び短側壁は下部に凹段部を有し、この各凹段部には夫々垂直方向に延設され外方に向けて突設する複数の長側壁補強リブ及び短側壁補強リブが設けられ、この長側壁補強リブはその下縁が育苗箱の内底面と下面との間に位置し、長側壁補強リブのうちの一乃至数個はその前縁が残余の長側壁補強リブの前縁より前方に位置することで突出面積が大きくなるように形成されており、更に、この育苗箱は重ねた際、下側の育苗箱の開口部に上側の育苗箱が嵌合され、また、上側の育苗箱の長側壁補強リブ及び短側壁補強リブの下縁が下側の育苗箱の開口縁に当接するように構成されていることを特徴とする育苗箱。
【請求項６】
請求項１〜５いずれか１項に記載の育苗箱において、前記下縁が下面と面一である長側壁補強リブは、前記対向する夫々の長側壁の左右中間部に夫々一つ設けられていることを特徴とする育苗箱。
【請求項７】
請求項１〜６いずれか１項に記載の育苗箱において、前記下縁が下面と面一である長側壁補強リブの近傍には下側の育苗箱の開口縁に当接する平面視コ字状の当接リブが設けられていることを特徴とする育苗箱。
【請求項８】
請求項１〜７いずれか１項に記載の育苗箱において、育苗箱と長側壁補強リブ及び短側壁補強リブとは合成樹脂により一体成形されたものであることを特徴とする育苗箱。
【発明の詳細な説明】
【０００１】
【発明の属する技術分野】
本発明は、苗マットを形成する育苗箱に関するものである。
【０００２】
【従来の技術及び発明が解決しようとする課題】
従来の育苗箱は合成樹脂で一体成形されたもので、図１，２に示すように、平面視長方形の浅箱状であって、対向する長側壁２２及び短側壁２３は下部に凹段部２４を有し、この各凹段部２４には夫々長側壁補強リブ２５、短側壁補強リブ２６が外方に向けて突設され、この長側壁補強リブ２５、短側壁補強リブ２６の下縁は育苗箱２１の内底面２８と下面２７との間で且つ下面２７から上方へ所定の距離Ｌの位置に形成されている。
【０００３】
この育苗箱２１に培土と共に種籾を入れ、この種籾がある程度の大きさの苗に育ったら、根切りした後、該育苗箱２１から培土と苗（マット状のため、苗マットと呼ばれる。）を取り出し、田植え機に搭載して田圃に苗を植えていくことになる。
【０００４】
ところで、育苗箱２１に培土と共に入れた種籾を発芽させて苗をある程度の大きさまで育てるために、種籾が発芽し易い環境に設定されている発芽室に該育苗箱２１をしばらく保管しておく必要があるが、なるべく多くの育苗箱を発芽室に保管するため、育苗箱２１は多段に重ねられるのが一般的である（一般的には６０枚程度重ねる）。
【０００５】
具体的には、下側の育苗箱２１の開口部３１に上側の育苗箱２１を嵌合させ、下側の育苗箱２１の開口縁３０に上側の育苗箱２１の前記長側壁補強リブ２５及び前記短側壁補強リブ２６の下縁を当接させ、上下の育苗箱２１を安定的に積層する。
【０００６】
しかし、この従来の育苗箱２１の長側壁補強リブ２５及び短側壁補強リブ２６は、補強作用を発揮させるため、その下縁が内底面２８と下面２７との間で且つ下面２７から上方へ所定の距離Ｌの位置に形成されているが、未だ十分な補強効果が果たされていないことを確認した。
【０００７】
即ち、６０枚育苗箱２１が積層された場合、育苗箱２１内には培土が充填されているため、下方の育苗箱２１には相当な荷重が作用し、長側壁２２及び短側壁２３が外方に広がってしまい、再利用が不能になると共に、上側の育苗箱２１の下面２７が下側の育苗箱２１の苗を押圧し、苗を痛めてしまうという問題も発生する。
【０００８】
特に、発芽室は８０℃〜８５℃のスチームが噴出されており、このスチームが育苗箱２１の変形を助長する（スチームは一般的に発芽室の下方から噴出するため、下方の育苗箱２１の変形はこの点からも著しい）。
【０００９】
本発明は、上述の問題点を解決するもので、従来の育苗箱と同様、安定的に重ねることができるのは勿論、多段に重ねた際の荷重によっても容易に変形しない強度を有する実用性に秀れた育苗箱を提供するものである。
【００１０】
【課題を解決するための手段】
添付図面を参照して本発明の要旨を説明する。
【００１１】
苗マットを形成するものであり、積層して使用される育苗箱であって、この育苗箱１は平面視長方形の浅箱状で、対向する長側壁２及び短側壁３は下部に凹段部４を有し、この各凹段部４には夫々垂直方向に延設され外方に向けて突設する複数の長側壁補強リブ５及び短側壁補強リブ６が設けられ、この長側壁補強リブ５のうちの一乃至数個の長側壁補強リブ５ａは、その下縁が育苗箱１の内底面８と下面７との間に位置し、また、一乃至複数の長側壁補強リブ５ｂは、その下縁が育苗箱１の内底面８より上方に位置し、更に、一乃至数個の長側壁補強リブ５ｃは、その下縁が育苗箱１の下面７と面一であり、また、育苗箱１の開口縁１０には前記下縁が育苗箱１の下面７と面一の長側壁補強リブ５ｃの下部が嵌入される凹部９が形成され、また、短側壁補強リブ６は、その下縁が育苗箱１の内底面８と下面７との間に位置するように形成されていることを特徴とする育苗箱に係るものである。
【００１２】
また、苗マットを形成するものであり、積層して使用される育苗箱であって、この育苗箱１は平面視長方形の浅箱状で、対向する長側壁２及び短側壁３は下部に凹段部４を有し、この各凹段部４には夫々垂直方向に延設され外方に向けて突設する複数の長側壁補強リブ５及び短側壁補強リブ６が設けられ、この長側壁補強リブ５のうちの一乃至数個の長側壁補強リブ５ａは、その下縁が育苗箱１の内底面８と下面７との間に位置し、また、一乃至複数の長側壁補強リブ５ｂは、その下縁が育苗箱１の内底面８より上方に位置し、更に、一乃至数個の長側壁補強リブ５ｃは、その下縁が育苗箱１の下面７と面一であり、また、育苗箱１の開口縁１０には前記下縁が育苗箱１の下面７と面一の長側壁補強リブ５ｃの下部が嵌入される凹部９が形成され、また、短側壁補強リブ６は、その下縁が育苗箱１の下面７と面一となるように形成されていることを特徴とする育苗箱に係るものである。
【００１３】
また、苗マットを形成するものであり、積層して使用される育苗箱であって、この育苗箱１は平面視長方形の浅箱状で、対向する長側壁２及び短側壁３は下部に凹段部４を有し、この各凹段部４には夫々垂直方向に延設され外方に向けて突設する複数の長側壁補強リブ５及び短側壁補強リブ６が設けられ、この長側壁補強リブ５はその下縁が育苗箱１の内底面８と下面７との間に位置し、長側壁補強リブ５のうちの一乃至数個はその前縁が残余の長側壁補強リブ５の前縁より前方に位置することで突出面積が大きくなるように形成されていることを特徴とする育苗箱に係るものである。
【００１４】
また、苗マットを形成するものであり、積層して使用される育苗箱であって、この育苗箱１は平面視長方形の浅箱状で、対向する長側壁２及び短側壁３は下部に凹段部４を有し、この各凹段部４には夫々垂直方向に延設され外方に向けて突設する複数の長側壁補強リブ５及び短側壁補強リブ６が設けられ、この長側壁補強リブ５のうちの一乃至数個の長側壁補強リブ５ａは、その下縁が育苗箱１の内底面８と下面７との間に位置し、また、一乃至複数の長側壁補強リブ５ｂは、その下縁が育苗箱１の内底面８より上方に位置し、更に、一乃至数個の長側壁補強リブ５ｃは、その下縁が育苗箱１の下面７と面一であり、また、育苗箱１の開口縁１０には前記下縁が育苗箱１の下面７と面一の長側壁補強リブ５ｃの下部が嵌入される凹部９が形成され、また、短側壁補強リブ６は、その下縁が育苗箱１の内底面８と下面７との間に位置するように形成されており、この育苗箱１は重ねた際、下側の育苗箱１の開口部１１に上側の育苗箱１が嵌合され、また、上側の育苗箱１の長側壁補強リブ５ａ及び短側壁補強リブ６の下縁が下側の育苗箱１の開口縁１０に当接し、その下縁が下面７と面一である長側壁補強リブ５ｃは前記凹部９に嵌合されるように構成されていることを特徴とする育苗箱に係るものである。
【００１５】
また、苗マットを形成するものであり、積層して使用される育苗箱であって、この育苗箱１は平面視長方形の浅箱状で、対向する長側壁２及び短側壁３は下部に凹段部４を有し、この各凹段部４には夫々垂直方向に延設され外方に向けて突設する複数の長側壁補強リブ５及び短側壁補強リブ６が設けられ、この長側壁補強リブ５はその下縁が育苗箱１の内底面８と下面７との間に位置し、長側壁補強リブ５のうちの一乃至数個はその前縁が残余の長側壁補強リブ５の前縁より前方に位置することで突出面積が大きくなるように形成されており、更に、この育苗箱１は重ねた際、下側の育苗箱１の開口部１１に上側の育苗箱１が嵌合され、また、上側の育苗箱１の長側壁補強リブ５及び短側壁補強リブ６の下縁が下側の育苗箱１の開口縁１０に当接するように構成されていることを特徴とする育苗箱に係るものである。
【００１６】
また、請求項１〜５いずれか１項に記載の育苗箱において、前記下縁が下面７と面一である長側壁補強リブ５ｃは、前記対向する夫々の長側壁２の左右中間部に夫々一つ設けられていることを特徴とする育苗箱に係るものである。
【００１７】
また、請求項１〜６いずれか１項に記載の育苗箱において、前記下縁が下面７と面一である長側壁補強リブ５ｃの近傍には下側の育苗箱１の開口縁１０に当接する平面視コ字状の当接リブ１２が設けられていることを特徴とする育苗箱に係るものである。
【００１８】
また、請求項１〜７いずれか１項に記載の育苗箱において、育苗箱１と長側壁補強リブ５及び短側壁補強リブ６とは合成樹脂により一体成形されたものであることを特徴とする育苗箱に係るものである。
【００１９】
【発明の作用及び効果】
育苗箱１に培土を入れ種籾を撒布し、この育苗箱１を複数重ね、具体的には上側の育苗箱１を下側の育苗箱１の開口部１１に嵌合して長側壁補強リブ５ａ及び短側壁補強リブ６の下縁を夫々育苗箱１の開口縁１０に当接させて重ね、発芽室に保管して種籾を発芽させる。
【００２０】
この際、一乃至数個の長側壁補強リブ５ｃは、その下縁が育苗箱１の下面７と面一であり、前記開口縁１０に当接させた長側壁補強リブ５ａより下方に位置しているから、従来の育苗箱２１に比し、この下方突出の分だけ育苗箱１の長側壁２が内方から外方へ広がろうとすることを支承する力が増大し、それだけ変形を抑制し得ることになり、よって、育苗箱１を積層しても変形が抑制され、特に、発芽室においてスチームの影響を受けやすい下方の育苗箱１であっても確実にその変形が抑制される。
【００２１】
従って、本発明は、従来の育苗箱と同様、安定的に重ねることができるのは勿論、多段に重ねた際の荷重によっても容易に変形しない強度を有する実用性に秀れた育苗箱を提供できることとなる。
【００２２】
【発明の実施の形態】
図３〜６は本発明の一実施例を図示したものであり、以下に説明する。
【００２３】
本実施例は、苗マットを形成するものであり、積層して使用される育苗箱であって、この育苗箱１は平面視長方形の浅箱状で、対向する長側壁２及び短側壁３は下部に凹段部４を有し、この各凹段部４には夫々垂直方向に延設され外方に向けて突設する複数の長側壁補強リブ５及び短側壁補強リブ６が設けられ、この長側壁補強リブ５のうちの一乃至数個の長側壁補強リブ５ａは、その下縁が育苗箱１の内底面８と下面７との間（下面７から上方へ所定の距離Ｓの位置）に位置し、また、一乃至複数の長側壁補強リブ５ｂは、その下縁が育苗箱１の内底面８より上方に位置し、更に、一乃至数個の長側壁補強リブ５ｃは、その下縁が育苗箱１の下面７と面一であり、また、育苗箱１の開口縁１０には前記下縁が育苗箱１の下面７と面一の長側壁補強リブ５ｃの下部が嵌入される凹部９が形成され、また、短側壁補強リブ６は、その下縁が育苗箱１の内底面８と下面７との間（下面７から上方へ所定の距離Ｓの位置）に位置しているものである。
【００２４】
本実施例に係る育苗箱１は合成樹脂を一体成形して形成されているものである。
【００２５】
各部を具体的に説明する。長側壁２及び短側壁３は、上端部で幅を持って折り返され、この折り返えされた下縁は長側壁２及び短側壁３の上下略中間部に位置し、この下縁の下方が凹段部４に設定されている。
【００２６】
また、この幅を持って折り返された上面が開口縁１０に設定される。
【００２７】
凹段部４の下部には、更に一段凹む凹側面１３が形成され、育苗箱１を重ねた際、この凹側面１３の部分が下側の育苗箱１の開口部１１に嵌合するように構成されている。
【００２８】
また、育苗箱１の長側壁２の左右中間部においては、前記折り返された下縁から更に凹側面１３の略中間位置（育苗箱１の内底面８と下面７との間の位置）まで垂下され、平面視コ字状にして育苗箱１を重ねた際、その下縁が下側の育苗箱１の開口縁１０と当接する当接リブ１２が形成されている。
【００２９】
更に、本実施例においては、育苗箱１の四つの角部にも前記当接リブ１２と同構造にして平面視Ｌ字状の当接リブ１６が形成されている。
【００３０】
また、下縁が育苗箱１の内底面８と下面７との間（下面７から上方へ所定の距離Ｓの位置、即ち、凹側面１３の上下略中間位置）に位置する長側壁補強リブ５ａは、前記当接リブ１２と当接リブ１６との間に所定間隔をおいて２個設けられている。
【００３１】
この下面７から上方への距離Ｓが短い程、長側壁２が内方から外方へ広がろうとすることを支承する力が大きくなるため、該長側壁補強リブ５ａはその下縁が可及的に下面７に近くなるように形成するのが望ましい。長側壁補強リブ５ａの突出前縁は、長側壁２の前記折り返し部の外面と略面一となるように形成されている。
【００３２】
また、一乃至数個の長側壁補強リブ５ｃは、その下縁が下面７と面一となるように形成されている。この長側壁補強リブ５ｃは、育苗箱１の対向する夫々の長側壁２の左右中間部、即ち、前記当接リブ１２の中央に夫々一つ設けられている。長側壁補強リブ５ｃの突出前縁は、長側壁２の前記折り返し部の外面と面一となるように形成されている。
【００３３】
また、一乃至数個の長側壁補強リブ５ｂは、その下縁が、凹段部４の上方に存在する折り返し部の上方位置となるように形成されている。長側壁補強リブ５ｂの突出前縁は、長側壁２の前記折り返し部の内面と当接するように形成されている。
【００３４】
短側壁補強リブ６も、一乃至数個の短側壁補強リブ６ａは、その下縁が育苗箱１の内底面８と下面７との間（下面７から上方へ所定の距離Ｓの位置）に位置し、その突出前縁は短側壁３の前記折り返し部の外面と略面一となるように形成され、一乃至数個の短側壁補強リブ６ｂは、その下縁が、凹段部４の上方に存在する折り返し部の上方位置となるように形成され、その突出前縁は短側壁３の前記折り返し部の内面と当接するように形成されている。
【００３５】
また、この短側壁補強リブ６のうち、一乃至数個を下縁が下面７と面一となるように形成しても良く、この場合には、上述のように育苗箱１の短側壁３にして前記下縁が下面７と面一となる短側壁補強リブ６に対応する位置に、前記凹部９を形成する必要があるが、より一層強度が向上する。
【００３６】
尚、図中符号１４は育苗箱１の底部補強リブ、１５は苗が根を伸ばすための毛根孔である。
【００３７】
本実施例は上述のように構成したから、育苗箱１に培土を入れ種籾を撒布し、この育苗箱１を複数重ね、具体的には上側の育苗箱１の凹段部４の凹側面１３を下側の育苗箱１の開口部１１に嵌合して一部の長側壁補強リブ５ａ及び短側壁補強リブ６の下縁を夫々育苗箱１の開口縁１０に当接させて重ね、発芽室に保管して種籾を発芽させる際、一対の長側壁補強リブ５ｃはその下縁が育苗箱１の下面７と面一であり、前記開口縁１０に当接させた長側壁補強リブ５ａより下方に位置しているから、従来の育苗箱２１に比し、この下方突出の分だけ育苗箱１の長側壁２が内方から外方へ広がろうとすることを支承する力が増大し、それだけ変形を抑制し得ることになり、よって、育苗箱１を積層しても変形が抑制され、特に、発芽室においてスチームの影響を受けやすい下方の育苗箱１であっても確実にその変形が抑制される。
【００３８】
また、本実施例においては、長側壁２の左右中間部に夫々一つ設けられた長側壁補強リブ５ｃの下縁を下面７と面一に、突出前縁を長側壁２の外面と面一として形成することで、極めて強い支承作用を得られるだけでなく、長側壁２の折り返し部より前方に突出しないことで持ち運びの際にも支障のない極めて実用的な育苗箱となる。
【００３９】
更に、育苗箱１の各角部と長側壁２の左右中間部には当接リブ１２，１６が夫々設けられているから、一層大きな支承作用を得ることができ、長側壁２及び短側壁３はより変形しにくくなる。
【００４０】
即ち、多段に重ねて相当の荷重が作用しても極めて変形しにくいから、育苗箱１を再利用することができるようになり、従来のように多くの育苗箱１を毎年新しい育苗箱１に買い替える必要がなくなる。
【００４１】
また、この長側壁２の左右中間部に夫々一つ設けられた長側壁補強リブ５ｃは、育苗箱１を重ねた際には、育苗箱１の開口縁１０の凹部９と嵌合するから、がたつきなく従来の育苗箱と同様に安定的に積層することができる。
【００４２】
また、長側壁２の左右中間部に夫々一つ設けられた長側壁補強リブ５ｃ及び凹部９は、どちらも複雑な製作工程を必要とせず一体成形により極めて容易に形成することができるため、極めてコスト安に製作することができる。
【００４３】
従って、本実施例は、従来の育苗箱と同様、安定的に重ねることができるのは勿論、コスト安で多段に重ねた際の荷重によっても容易に変形しない強度を有する実用性に秀れたものとなる。
【００４４】
尚、本実施例においては、下縁を下面７と面一とした長側壁補強リブ５ｃを対向する長側壁２の左右中間部に夫々一つ設けたが、長側壁２のどの場所に形成してもよいし、また、複数対形成してもよく、例えば複数対形成した場合には、極めて強い補強作用を発揮して育苗箱１が極めて変形しにくいものとなる。
【００４５】
また、本実施例においては、長側壁２の左右中間部に夫々一つ設けられた長側壁補強リブ５ｃを他の長側壁補強リブ５よりも下縁を下方にすることで突出面積を大きくしているが、長側壁２の折り返し部の外面より前方に突出させることで突出面積を大きくしてもよく、その場合には、育苗箱１の開口縁１０に凹部９を形成することなく、積層しても容易に変形しない育苗箱１となる。
【００４６】
本実施例の育苗箱１は縦６０ｃｍ，横３０ｃｍ，高さ４ｃｍ程度のもので、短側壁３の方は荷重が作用しても外方へ広がらず、長側壁２の方のみが外方へ広がることを実験により確認し、長側壁２の方にのみ下方への延設長が長い補強リブを設けることで耐久性に秀れた育苗箱１を得ることができた。
【００４７】
尚、繰り返した実験の結果、下方への延設長が長い補強リブは長側壁２の左右中間部に一つずつ存在することで十分な強度が得られることも確認済みである。
【図面の簡単な説明】
【図１】従来例の裏面説明斜視図である。
【図２】従来例の説明断面図である。
【図３】本実施例の表面説明斜視図である。
【図４】本実施例の裏面説明斜視図である。
【図５】本実施例の説明断面図である。
【図６】本実施例の説明側面図である。
【符号の説明】
１  育苗箱
２  長側壁
３  短側壁
４  凹段部
５・５ａ・５ｂ・５ｃ  長側壁補強リブ
６  短側壁補強リブ
７  下面
８  内底面
９  凹部
１０  開口縁
１１  開口部
１２  当接リブ
【図１】
2004329035.tif 000003
【図２】
2004329035.tif 000004
【図３】
2004329035.tif 000005
【図４】
2004329035.tif 000006
【図５】
2004329035.tif 000007
【図６】
2004329035.tif 000008